(57)【要約】【課題】デジタルメディア環境状態を前回の最終状態まで素早く戻すことができ、使用上の利便性を高め得るデジタルメディアシステムの制御方法を提供することを課題とする。【解決手段】本発明のデジタルメディアシステムの制御方法は、デジタルメディアコントローラに適用される方法であり、前回デジタルメディア環境状態に基づいて、前回デジタルメディア環境状態において記録したデジタルメディアレンダラー情報及びデジタルメディアサーバー情報が、現在使用可能な状態にあるデジタルメディアレンダラー及びデジタルメディアサーバーにそれぞれ対応するかどうかをチェックするステップと、使用可能な状態におけるデジタルメディアレンダラー情報とデジタルメディアサーバー情報に対応するレンダラーアイコンとサーバーアイコンとして、それぞれレンダラーとサーバーが使用可能の状態であることを表示させるステップとを備える。【選択図】図１
2014016987.tif 000002
【特許請求の範囲】
【請求項１】
デジタルメディアシステムに接続されたデジタルメディアコントローラに適用され、前記デジタルメディアシステムは、ネットワークと、複数のデジタルメディアサーバー及び複数のデジタルメディアレンダラーを備え、前記デジタルメディアコントローラは、前記ネットワークを経由して、前記複数のデジタルメディアサーバーと前記複数のデジタルメディアレンダラーにそれぞれ接続されるよう構成されたデジタルメディアシステムの制御方法であって、
前回デジタルメディア環境状態が記録、保存されているかどうかをチェックするステップと、
前記前回デジタルメディア環境状態が記録、保存されている場合、前記前回デジタルメディア環境状態に基づいて、前記前回デジタルメディア環境状態において記録された複数のデジタルメディアレンダラー情報及び複数のデジタルメディアサーバー情報が、前記デジタルメディアシステム内において使用可能の状態にある前記複数のデジタルメディアレンダラー及び前記複数のデジタルメディアサーバーにそれぞれ対応するかどうかをチェックするステップと、
前記使用可能の状態にある各前記複数のデジタルメディアレンダラー情報に対応するデジタルメディアレンダラーアイコンとして、当該レンダラーが使用可能の状態であることを表示させるステップと、
前記使用可能の状態にある各前記複数のデジタルメディアサーバー情報に対応するデジタルメディアサーバーアイコンとして、当該サーバーが使用可能の状態であることを表示させるステップと、
を備えることを特徴とするデジタルメディアシステムの制御方法。
【請求項２】
前記使用可能の状態にある各前記複数のデジタルメディアサーバー情報に対応する前記デジタルメディアサーバーアイコンとして、当該前記サーバーが使用可能の状態であることを表示させるステップにおいて、
前記使用可能の状態における各前記複数のデジタルメディアサーバー情報に対応する前記デジタルメディアサーバーに保存した複数のマルチメディアファイルのファイルリストを表示するステップを更に備えることを特徴とする請求項１に記載のデジタルメディアシステムの制御方法。
【請求項３】
前記前回デジタルメディア環境状態において記録された前記複数のデジタルメディアレンダラー情報及び前記複数のデジタルメディアサーバー情報の少なくとも一つが、前記デジタルメディアシステム内において前記使用可能の状態にある前記複数のデジタルメディアレンダラー及び前記複数のデジタルメディアサーバーと対応していない場合には、
対応していない各前記複数のデジタルメディアレンダラー情報に対応する各前記複数のデジタルメディアレンダラーアイコンとして、当該レンダラーが使用不能の状態であることを表示させるステップと、
対応していない各前記複数のデジタルメディアサーバー情報に対応する各前記複数のデジタルメディアサーバーアイコンとして、当該サーバーが使用不能の状態であることを表示させるステップとを更に備えることを特徴とする請求項１に記載のデジタルメディアシステムの制御方法。
【請求項４】
対応していない各前記複数のデジタルメディアサーバー情報に対応する各前記複数のデジタルメディアサーバーアイコンとして、当該サーバーが使用不能の状態であることを表示させるステップにおいて、
前記サーバーが使用不能の状態であることを示すために、対応していない各前記複数のデジタルメディアサーバー情報が対応する前記デジタルメディアサーバーアイコンにテキストメッセージを標示するステップを更に備えることを特徴とする請求項３に記載のデジタルメディアシステムの制御方法。
【請求項５】
前記前回デジタルメディア環境状態が記録、保存されている場合、前記デジタルメディアコントローラのデジタルメディア環境状態の設定を前記前回デジタルメディア環境状態に戻すステップと、
前記前回デジタルメディア環境状態において記録された前記複数のデジタルメディアレンダラー情報に基づいて、前記デジタルメディアコントローラに、前記レンダラーの使用可能の状態における前記デジタルメディアレンダラーアイコンとして、対応する再生状態を表示させるステップと、を更に備えることを特徴とする請求項１に記載のデジタルメディアシステムの制御方法。
【請求項６】
前記複数のデジタルメディアレンダラー情報は、デジタルメディアレンダラー識別コードと、再生モード情報と、再生ファイル情報と、ボリューム情報、或は最後の再生時間の位置情報とを備えることを特徴とする請求項１に記載のデジタルメディアシステムの制御方法。
【請求項７】
前記前回デジタルメディア環境状態として、各前記複数のデジタルメディアレンダラー情報の対応する再生ファイルに関し、前記複数のデジタルメディアサーバー情報の中にあるファイルパスを更に記録することを特徴とする請求項１に記載のデジタルメディアシステムの制御方法。
【請求項８】
現在のデジタルメディア環境状態を前記前回デジタルメディア環境状態として記録、保存するステップを更に備えることを特徴とする請求項１に記載のデジタルメディアシステムの制御方法。
【請求項９】
デジタルメディアシステムに接続するために用いられ、前記デジタルメディアシステムは、ネットワークと、複数のデジタルメディアサーバーと、複数のデジタルメディアレンダラーとを備えるデジタルメディアコントローラであって、
前記ネットワークを経由して、前記複数のデジタルメディアサーバーと前記複数のデジタルメディアレンダラーにそれぞれ接続される信号伝送インタフェースと、
表示ユニットと、
コンピュータの実行可能プログラムを保存する記憶装置と、
前記信号伝送インタフェースと、前記表示ユニットと、前記記憶装置に接続され、且つ前記コンピュータの実行可能プログラムの複数のコマンドを実行するプロセッサとを備え、
前記複数のコマンドは、
前回デジタルメディア環境状態が記録、保存されているかどうかをチェックするコマンドと、
前記前回デジタルメディア環境状態が記録、保存されている場合、前記前回デジタルメディア環境状態に基づいて、前記前回デジタルメディア環境状態において記録された複数のデジタルメディアレンダラー情報及び複数のデジタルメディアサーバー情報が、前記デジタルメディアシステム内において使用可能の状態にある前記複数のデジタルメディアレンダラー及び前記複数のデジタルメディアサーバーにそれぞれ対応するかどうかをチェックするコマンドと、
前記使用可能の状態にある各前記複数のデジタルメディアレンダラー情報に対応するデジタルメディアレンダラーアイコンとして、当該レンダラーが使用可能の状態であることを表示させるコマンドと、
前記使用可能の状態にある各前記複数のデジタルメディアサーバー情報に対応するデジタルメディアサーバーアイコンとして、当該サーバーが使用可能の状態であることを表示させるコマンドと、
を備えることを特徴とするデジタルメディアコントローラ。
【請求項１０】
前記使用可能の状態にある各前記複数のデジタルメディアサーバー情報に対応する前記デジタルメディアサーバーアイコンとして、当該サーバーが使用可能の状態であることを表示させるコマンドにおいて、
前記使用可能の状態にある各前記複数のデジタルメディアサーバー情報に対応する前記デジタルメディアサーバーに保存した複数のマルチメディアファイルのファイルリストを表示するコマンドを更に備えることを特徴とする請求項９に記載のデジタルメディアコントローラ。
【請求項１１】
前記複数のコマンドは、
前記前回デジタルメディア環境状態において記録された前記複数のデジタルメディアレンダラー情報及び前記複数のデジタルメディアサーバー情報の少なくとも一つが、前記デジタルメディアシステム内において前記使用可能の状態にある前記複数のデジタルメディアレンダラー及び前記複数のデジタルメディアサーバーと対応していない場合には、
対応していない各前記複数のデジタルメディアレンダラー情報に対応する各前記複数のデジタルメディアレンダラーアイコンとして、当該レンタルダラーが使用不能の状態であることを表示させるコマンドと、
対応していない各前記複数のデジタルメディアサーバー情報に対応する各前記複数のデジタルメディアサーバーアイコンとして、当該サーバーが使用不能の状態であることを表示させるコマンドとを更に備えることを特徴とする請求項９に記載のデジタルメディアコントローラ。
【請求項１２】
対応していない各前記複数のデジタルメディアサーバー情報に対応する各前記複数のデジタルメディアサーバーアイコンとして、当該サーバーが使用不能の状態であることを表示させるコマンドにおいて、
前記サーバーが使用不能の状態であることを示すために、対応していない各前記複数のデジタルメディアサーバー情報が対応する前記デジタルメディアサーバーアイコンにテキストメッセージを標示するコマンドを更に備えることを特徴とする請求項１１に記載のデジタルメディアコントローラ。
【請求項１３】
前記複数のコマンドは、
前記前回デジタルメディア環境状態が記録、保存されている場合、前記デジタルメディアコントローラのデジタルメディア環境状態の設定を前記前回デジタルメディア環境状態に戻すコマンドと、
前記前回デジタルメディア環境状態において記録された前記複数のデジタルメディアレンダラー情報に基づいて、前記レンダラーの使用可能の状態における前記デジタルメディアレンダラーアイコンとして、対応する再生状態を表示させるコマンドとを更に備えることを特徴とする請求項９に記載のデジタルメディアコントローラ。
【請求項１４】
前記複数のデジタルメディアレンダラー情報は、デジタルメディアレンダラー識別コードと、再生モード情報と、再生ファイル情報と、ボリューム情報、或は最後の再生時間の位置情報とを備えることを特徴とする請求項９に記載のデジタルメディアコントローラ。
【請求項１５】
前記前回デジタルメディア環境状態として、各前記複数のデジタルメディアレンダラー情報の対応する再生ファイルに関し、前記複数のデジタルメディアサーバー情報の中にあるファイルパスを更に記録することを特徴とする請求項９に記載のデジタルメディアコントローラ。
【請求項１６】
前記複数のコマンドは、
現在のデジタルメディア環境状態を前記前回デジタルメディア環境状態として記録、保存するコマンドを更に備えることを特徴とする請求項９に記載のデジタルメディアコントローラ。
【発明の詳細な説明】
【技術分野】
【０００１】
本発明は、デジタルメディアシステムの制御方法とデジタルメディアコントローラに関するものであり、特に、デジタルメディアコントローラをデジタルメディアシステムに再度接続したときに、前回の接続終了時のデジタルメディア環境状態に直ちに復帰させて、そこから再生等を再開、継続することが可能なデジタルメディアシステムの制御方法と、その制御方法が適用されるデジタルメディアコントローラに関するものである。
【背景技術】
【０００２】
DLNA(Digital Living Network Alliance)は、消費性電子製品、携帯電話及びパソコンメーカーで結成された業界団体で、その業界団体は統一したガイドラインを制定している。その目的は、それぞれ異なるメーカーの製品に互換性を持たせるためである。これにより、オーディオ装置がDLNAのガイドラインに対応していさえすれば、ネットワークに直接接続して同期化させることができ、データの転送も行える。
【０００３】
DLNAのガイドラインが適用される製品は、主に、デジタルメディアサーバー(Digital Media Server，DMS)、デジタルメディアプレーヤー(Digital Media Player，DMP)、デジタルメディアコントローラ(Digital Media Controller，DMC)、デジタルメディアレンダラー(Digital Media Renderer，DMR) の四つの種類に分けられる。このうち、DMSは、マルチメディアファイルの検索、複製、保存を行い、ソースファイルとする装置である。DMPは、能動的にDMSにより提供されたマルチメディアファイルを検索し、再生または出力する装置である。DMCは、リモコン装置として使用され、DMS上のマルチメディアファイルを検索して、そのマルチメディアファイルを再生するDMRを指定して再生を行わせたり、マルチメディアファイルをコントロールして、DMSにアップロードする装置である。DMRは、DMCからプッシュ(push)されて来たマルチメディアファイルを受動的に受信して再生する装置である。
【０００４】
家庭内のネットワークにおいて、DLNAのガイドラインに対応したコンピュータ、携帯電話、サーバー及びプレーヤー等は、いずれもネットワークを介して、それぞれマルチメディアコンテンツ(動画、音楽、写真等を含む)を共有し、再生できるようになっている。コンテンツのソース以外にも、ユーザーが再生能力を有する機器を自由に選択しマルチメディアファイルを再生させることも可能である。例えば、ユーザーがキッチンのコンピュータによって、書斎のコンピュータの映像を選択して、リビングのテレビ画面で再生させることができる。したがって、デジタル家電のホームネットワークにより、便利で快適なホームシアターが楽しめる。
【発明の概要】
【発明が解決しようとする課題】
【０００５】
本発明は、ユーザーの使用上の利便性を高めるために、デジタルメディア環境状態を、前回使用時の状態に素早く戻すことが可能なデジタルメディアシステムの制御方法を提供することを課題とする。
【０００６】
したがってまた、本発明は、再度改めてデジタルメディアシステムにアクセスする時に、前回デジタルメディアシステムからログオフした時の各デジタルメディアレンダラーの再生状態で素早く接続することができ、ユーザーの使用時のエンターテインメント効果を向上させることのできるデジタルメディアコントローラを提供することを課題とする。
【課題を解決するための手段】
【０００７】
上記課題を解決するために、本発明のデジタルメディアシステムの制御方法は、デジタルメディアシステムに接続されたデジタルメディアコントローラに適用され、前記デジタルメディアシステムは、ネットワークと、複数のデジタルメディアサーバー及び複数のデジタルメディアレンダラーを備える。前記デジタルメディアコントローラは、前記ネットワークを経由して、前記複数のデジタルメディアサーバーと前記複数のデジタルメディアレンダラーにそれぞれ接続される。前記方法は、以下のステップを備える。即ち、前回デジタルメディア環境状態が記録、保存されているかどうかをチェックするステップと、前回デジタルメディア環境状態が記録、保存されている場合には、前回デジタルメディア環境状態に基づいて、前回デジタルメディア環境状態において記録された複数のデジタルメディアレンダラー情報及び複数のデジタルメディアサーバー情報が前記デジタルメディアシステム内において使用可能の状態にある前記複数のデジタルメディアレンダラー及び前記複数のデジタルメディアサーバーにそれぞれ対応するかどうかをチェックするステップと、前記デジタルメディアコントローラに、使用可能の状態にある各前記複数のデジタルメディアレンダラー情報に対応するデジタルメディアレンダラーアイコンとして、当該レンダラーが使用可能の状態であることを表示させるステップと、使用の可能の状態にある各前記複数のデジタルメディアサーバー情報に対応するデジタルメディアサーバーアイコンとして、当該サーバーが使用可能の状態であることを表示するステップとを備える。
【０００８】
本発明の一実施例において、前記のデジタルメディアシステムの制御方法は、使用可能の状態にある各前記複数のデジタルメディアサーバー情報に対応する前記デジタルメディアサーバーアイコンとして、当該サーバーが使用可能の状態であることを表示させるステップにおいて、前記使用可能の状態における各前記複数のデジタルメディアサーバー情報に対応する前記デジタルメディアサーバーに保存した複数のマルチメディアファイルのファイルリストを表示させるステップを更に備える。
【０００９】
本発明の一実施例において、前記のデジタルメディアシステムの制御方法は、前記前回デジタルメディア環境状態において記録された前記複数のデジタルメディアレンダラー情報及び前記複数のデジタルメディアサーバー情報の少なくとも一つが、前記デジタルメディアシステム内において前記使用可能の状態にある前記複数のデジタルメディアレンダラー及び前記複数のデジタルメディアサーバーと対応していない場合には、対応していない各前記複数のデジタルメディアサーバー情報に対応する各前記複数のデジタルメディアレンダラーアイコンとして、当該レンダラーが使用不能の状態であることを表示させるステップと、対応していない各前記複数のデジタルメディアサーバー情報に対応する各前記複数のデジタルメディアサーバーアイコンとして、当該サーバーが使用不能の状態であることを表示するステップとを更に備える。
【００１０】
本発明の一実施例において、前記のデジタルメディアシステムの制御方法は、対応していない各前記複数のデジタルメディアサーバー情報に対応する各前記複数のデジタルメディアサーバーアイコンとして、当該サーバーが使用不能の状態であることを表示させるステップにおいて、前記サーバーが使用不能の状態であることを示すために、対応していない各前記複数のデジタルメディアサーバー情報が対応する前記デジタルメディアサーバーアイコンにテキストメッセージを標示するステップを更に備える。
【００１１】
本発明の一実施例において、前記のデジタルメディアシステムの制御方法は、前記前回デジタルメディア環境状態が記録、保存されている場合、前記デジタルメディアコントローラのデジタルメディア環境状態の設定を前記前回デジタルメディア環境状態に戻すステップと、前記前回デジタルメディア環境状態において記録された前記複数のデジタルメディアレンダラー情報に基づいて、前記デジタルメディアコントローラに、前記レンダラーの使用可能の状態における前記デジタルメディアレンダラーアイコンとして、対応する再生状態を表示させるステップとを更に備える。
【００１２】
本発明の一実施例において、前記のデジタルメディアシステムの制御方法において、前記複数のデジタルメディアレンダラー情報は、デジタルメディアレンダラー識別コードと、再生モード情報と、再生ファイル情報と、ボリューム情報、或は最後の再生時間の位置情報とを備える。
【００１３】
本発明の一実施例において、前記のデジタルメディアシステムの制御方法において、前記前回デジタルメディア環境状態として、各前記複数のデジタルメディアレンダラー情報の対応する再生ファイルに関し、前記複数のデジタルメディアサーバー情報の中にあるファイルパスを更に記録する。
【００１４】
本発明の一実施例において、前記のデジタルメディアシステムの制御方法は、現在のデジタルメディア環境状態を前記前回デジタルメディア環境状態として記録、保存するステップを更に備える。
【００１５】
本発明は又、デジタルメディアコントローラを提供する。デジタルメディアコントローラはデジタルメディアシステムに接続するために用いられ、前記デジタルメディアシステムは、ネットワークと、複数のデジタルメディアサーバーと、複数のデジタルメディアレンダラーとを備える。デジタルメディアコントローラは、信号伝送インタフェースと、表示ユニットと、記憶装置及びプロセッサを備える。信号伝送インタフェースは、前記ネットワークを経由して、前記複数のデジタルメディアサーバーと前記複数のデジタルメディアレンダラーにそれぞれ接続される。記憶装置は、コンピュータの実行可能プログラムを保存する。プロセッサは、前記信号伝送インタフェースと、前記表示ユニットと、前記記憶装置に接続され、且つ前記コンピュータの実行可能プログラムの複数のコマンドを実行する。この場合、前記複数のコマンドは、前回デジタルメディア環境状態が記録、保存されているかどうかをチェックするコマンドと、前記前回デジタルメディア環境状態が記録、保存されている場合、前回デジタルメディア環境状態に基づいて、前記前回デジタルメディア環境状態において記録された複数のデジタルメディアレンダラー情報及び複数のデジタルメディアサーバー情報が、前記デジタルメディアシステム内において使用可能の状態にある前記複数のデジタルメディアレンダラー及び前記複数のデジタルメディアサーバーにそれぞれ対応するかどうかをチェックするコマンドと、前記使用可能の状態にある各前記複数のデジタルメディアレンダラー情報に対応するデジタルメディアレンダラーアイコンとして、当該レンダラーが使用可能の状態であることを表示させるコマンドと、前記使用可能の状態にある各前記複数のデジタルメディアサーバー情報に対応するデジタルメディアサーバーアイコンとして、当該サーバーが使用可能の状態であることを表示するコマンドとを備える。  
【００１６】
本発明の一実施例において、前記のデジタルメディアコントローラは、前記使用可能の状態にある各前記複数のデジタルメディアサーバー情報に対応する前記デジタルメディアサーバーアイコンとして、当該サーバーが使用可能の状態であることを表示させるコマンドにおいて、前記使用可能の状態にある各前記複数のデジタルメディアサーバー情報に対応する前記デジタルメディアサーバーに保存した複数のマルチメディアファイルのファイルリストを表示させるコマンドを更に備える。
【００１７】
本発明の一実施例において、前記のデジタルメディアコントローラの前記複数のコマンドは、次のコマンドを更に備える。即ち、前記前回デジタルメディア環境状態において記録された前記複数のデジタルメディアレンダラー情報及び前記複数のデジタルメディアサーバー情報の少なくとも一つが、前記デジタルメディアシステム内において前記使用可能の状態にある前記複数のデジタルメディアレンダラー及び前記複数のデジタルメディアサーバーに対応していない場合には、対応していない各前記複数のデジタルメディアレンダラー情報に対応する各前記複数のデジタルメディアレンダラーアイコンとして、当該レンダラーが使用不能の状態であることを表示させるコマンドと、対応していない各前記複数のデジタルメディアサーバー情報に対応する各前記複数のデジタルメディアサーバーアイコンとして、当該サーバーが使用不能の状態であることを表示させるコマンドとを更に備える。
【００１８】
本発明の一実施例において、前記のデジタルメディアコントローラは、対応していない各前記複数のデジタルメディアサーバー情報に対応する各前記複数のデジタルメディアサーバーアイコンとして、当該サーバーが使用不能の状態であることを表示させるコマンドにおいて、対応していない各前記複数のデジタルメディアサーバー情報の前記サーバーが使用不能の状態であることを示すため、対応していない各前記複数のデジタルメディアサーバー情報が対応する前記デジタルメディアサーバーアイコンにテキストメッセージを標示するコマンドを更に備える。
【００１９】
本発明の一実施例において、前記のデジタルメディアコントローラの前記複数のコマンドは、次のコマンドを更に備える。即ち、前記前回デジタルメディア環境状態が記録、保存されている場合、前記デジタルメディアコントローラのデジタルメディア環境状態の設定を前記前回デジタルメディア環境状態に戻すコマンドと、前記前回デジタルメディア環境状態において記録された前記複数のデジタルメディアレンダラー情報に基づいて、前記レンダラーの使用可能の状態における前記デジタルメディアレンダラーアイコンとして、対応する再生状態を表示するコマンドとを更に備える。
【００２０】
本発明の一実施例において、前記のデジタルメディアコントローラの前記複数のデジタルメディアレンダラー情報は、デジタルメディアレンダラー識別コードと、再生モード情報と、再生ファイル情報と、ボリューム情報、或は最後の再生時間の位置情報とを備える。
【００２１】
本発明の一実施例において、前記のデジタルメディアコントローラの前記前回デジタルメディア環境状態として、各前記複数のデジタルメディアレンダラー情報の対応する再生ファイルに関し、前記複数のデジタルメディアサーバー情報の中にあるファイルパスを更に記録する。
【００２２】
本発明の一実施例において、前記のデジタルメディアコントローラの前記複数のコマンドは、次のコマンドを更に備える。即ち、前記記憶装置に、現在のデジタルメディア環境状態を前記前回デジタルメディア環境状態として記録、保存するコマンドを更に備える。
【発明の効果】
【００２３】
上述のように、本発明は、デジタルメディアコントローラをデジタルメディアシステムに再度アクセスさせる時、保存された前回デジタルメディア環境状態において記録されたデジタルメディアサーバー情報とデジタルメディアレンダラー情報に基づいて、デジタルメディアコントローラに表示されるデジタルメディアレンダラーアイコンの表示を、対応するデジタルメディアレンダラー情報（最後の再生状態を含む）の前回アクセス時の最終状態に戻し、また、デジタルメディアコントローラに表示されるデジタルメディアサーバーアイコンの表示を、対応するデジタルメディアサーバー情報の前回アクセス時の最終状態に戻すことができる。従って、デジタルメディアコントローラにより再度改めてデジタルメディアシステムにアクセスする時、このデジタルメディアシステムから前回ログオフした時の各デジタルメディアレンダラーの再生状態から連続した状態で直ちに再生を開始することができ、これにより、ユーザーは、デジタルメディア環境状態を新たにリセットするために再び時間と労力を費やす必要がなく、ユーザーの使用上の利便性とエンターテイメント効果を高めることができる。
【図面の簡単な説明】
【００２４】
【図１】本発明の実施例１に係るデジタルメディアシステムの制御方法の流れの概略図である。
【図２】マルチメディアシステムの概略図である。
【図３Ａ】本発明の実施例１に係るデジタルメディアコントローラの表示ユニットにデジタルメディアシステムのインタフェースが表示された状態を示す図である。
【図３Ｂ】本発明の実施例２に係るデジタルメディアコントローラの表示ユニットにデジタルメディアシステムのインタフェースが表示された状態を示す図である。
【図４】本発明の実施例２に係るデジタルメディアシステムの制御方法の流れの概略図である。
【図５】本発明の実施例３に係るデジタルメディアコントローラの概略図である。
【発明を実施するための形態】
【００２５】
本発明の上述の特徴及び長所をわかりやすくするために、以下に例を挙げ、図面を併せて参照しつつ詳細に説明する。
【実施例１】
【００２６】
図１は本発明の実施例１に係るデジタルメディアシステムの制御方法の流れの概略図である。本実施例において、デジタルメディアシステム２００（図２参照）に接続されたデジタルメディアコントローラ２０８によって、本発明のデジタルメディアシステムの制御方法を実施する。デジタルメディアコントローラ２０８は、例えば、DLNA規範に適用するタブレットパソコン、スマートフォン、或はＰＤＡ等の表示ユニットを有する携帯型電子装置である。図１を参照されたい。ステップＳ１０１において、デジタルメディアコントローラ２０８をデジタルメディアシステム２００（図２参照）に接続する。図２はマルチメディアシステムの概略図である。図２を参照されたい。デジタルメディアシステム２００は、ネットワーク２０２と、複数のデジタルメディアレンダラー（少なくともデジタルメディアレンダラー２０４ａと、２０４ｂと、２０４ｃを含む）と、複数のデジタルメディアサーバー（少なくともデジタルメディアサーバー２０６ａと、２０６ｂと、２０６ｃを含む）とを備える。そのうち、各デジタルメディアサーバー２０６ａ〜２０６ｃは複数のマルチメディアファイルを保存する。一方、ステップＳ１０１において、デジタルメディアコントローラ２０８は、ネットワーク２０２を経由し、デジタルメディアサーバー（少なくともデジタルメディアサーバー２０６ａと、２０６ｂと、２０６ｃを含む）とデジタルメディアレンダラー（少なくともデジタルメディアレンダラー２０４ａと、２０４ｂと、２０４ｃを含む）にそれぞれ接続される。
【００２７】
また、上記ネットワーク２０２は、例えば、無線、或は有線の方式によって、上記のデジタルメディアレンダラー２０４ａ〜２０４ｃと、デジタルメディアサーバー２０６ａ〜２０６ｃと、デジタルメディアコントローラ２０８に接続される。このほかに、ネットワーク２０２は、例えば、イーサーネット(Ethernet（登録商標）)、IEEE13941に基づく標準ネットワーク、IEEE802.11に基づく標準の無線ネットワークまたは上述ネットワークの組合せである。
【００２８】
上述のデジタルメディアサーバー２０６ａ〜２０６ｃは、例えば、DLNA規格に適合したパソコン、ネットワークの保存メディア、デジタルビデオまたは携帯電子装置(ノートブックパソコン、携帯電話、PDA、デジタルビデオカメラ及びデジタルカメラを含む)等のDLNAメディアサーバー機能を提供するハードウェア設備である。上述のデジタルメディアレンダラー２０４ａ〜２０４ｃは、例えば、DLNA規格に適合したテレビ、オーディオシステム、パソコンまたはポータブル電子機器(ノートブックパソコン、携帯電話、PDA、デジタルビデオカメラ及びデジタルカメラを含む)等のDLNAメディアの再生を提供するハードウェア設備である。さらに、上述のマルチメディアファイルは、例えば、動画ファイル、音楽ファイルまたは写真ファイルである。
【００２９】
次に、図１と図２を参照されたい。ステップＳ１０５において、デジタルメディアコントローラ２０８は、前回デジタルメディア環境状態が記録、保存されているかどうかをチェックする。前回デジタルメディア環境状態とは、前回、デジタルメディアコントローラ２０８とデジタルメディアシステム２００の接続を切断する直前に、デジタルメディアコントローラ２０８がデジタルメディアシステム２００のその時点でのデジタルメディア環境状態を保存した場合に、その保存したデジタルメディア環境状態のことである。このデジタルメディア環境状態は、デジタルメディアシステムの各デジタルメディアレンダラーのデジタルメディアレンダラー情報（デジタルメディアレンダラー識別コードと最後の再生状態を含む）と、デジタルメディアシステムの各デジタルメディアサーバーのデジタルメディアサーバー情報と、各デジタルメディアレンダラー情報の対応する再生ファイルについてのデジタルメディアサーバー情報の中にあるファイルパス（即ち、各デジタルメディアレンダラーで再生中のファイルについては、デジタルメディアサーバーのファイルパスが保存する）とを含むものである。上記最後の再生状態は、再生モード情報と、再生ファイル情報と、ボリューム情報、或は最後の再生時間の位置情報とを備える。
【００３０】
デジタルメディアコントローラ２０８は、前回デジタルメディア環境状態が記録、保存されていると確認した場合、デジタルメディアコントローラ２０８のデジタルメディア環境状態の設定を前回デジタルメディア環境状態に戻す（ステップＳ１１１）。また、デジタルメディアコントローラ２０８が前回デジタルメディア環境状態を保存していないと確認した場合、デジタルメディアシステム２００の現状に基づいて、デジタルメディア環境状態を新たに設定する（ステップＳ１１５）。つまり、デジタルメディアコントローラ２０８は、まず、接続されたデジタルメディアシステム２００のデジタルメディアレンダラー２０４ａ〜２０４ｃとデジタルメディアサーバー２０６ａ〜２０６ｃを検索し、各デジタルメディアサーバー２０６ａ〜２０６ｃが保存したマルチメディアファイルと各デジタルメディアサーバー２０６ａ〜２０６ｃの個人情報（即ち、デジタルメディアサーバー情報）、及び各デジタルメディアレンダラー２０４ａ〜２０４ｃの個人情報（即ち、デジタルメディアレンダラー情報）を記録することで、デジタルメディア環境状態を新たに設定する。
【００３１】
デジタルメディアコントローラ２０８のデジタルメディア環境状態の設定を前回デジタルメディア環境状態に戻した後（ステップＳ１１１）、ステップＳ１２１において、前回デジタルメディア環境状態に基づいて、前回デジタルメディア環境状態において記録された複数のデジタルメディアレンダラー情報及び複数のデジタルメディアサーバー情報が、デジタルメディアシステム２００の内に使用可能な状態におけるデジタルメディアレンダラー２０４ａ〜２０４ｃ及びデジタルメディアサーバー２０６ａ〜２０６ｃにそれぞれ対応しているかどうかをチェックする。つまり、前回デジタルメディア環境状態において記録した複数のデジタルメディアレンダラー情報のうちの一つが、デジタルメディアシステム２００内のデジタルメディアレンダラー２０４ａ〜２０４ｃのうちの一つに対応する場合には、このデジタルメディアレンダラー情報が使用可能の状態であるとして確認する。同じく、前回デジタルメディア環境状態において記録した複数のデジタルメディアサーバー情報のうちの一つが、デジタルメディアシステム２００内のデジタルメディアサーバー２０６ａ〜２０６ｃのうちの一つに対応する場合には、このデジタルメディアサーバー情報が使用可能の状態であるとして確認する。
【００３２】
少なくともデジタルメディアレンダラー情報の一部分が使用可能の状態であり、及び少なくともデジタルメディアサーバー情報の一部分が使用可能の状態（つまり、少なくともデジタルメディアレンダラー情報の一部分がデジタルメディアシステム内のデジタルメディアレンダラーにそれぞれ対応し、及び少なくともデジタルメディアサーバー情報の一部分がデジタルメディアシステム内のデジタルメディアサーバーにそれぞれ対応する状態）であるとそれぞれ確認した場合、使用可能の状態における各デジタルメディアレンダラー情報の対応するデジタルメディアレンダラーアイコンは、レンダラーが使用可能の状態であることを表示し、及び使用可能の状態における各デジタルメディアサーバー情報の対応するデジタルメディアサーバーアイコンは、サーバーが使用可能の状態であることを表示する（ステップＳ１２５）。
【００３３】
そして、デジタルメディアレンダラー情報のうちの一つが対応していない、及び／或はデジタルメディアサーバー情報のうちの一つが対応していないとそれぞれ確認した場合（つまり、前回デジタルメディア環境状態において記録したデジタルメディアレンダラー情報の少なくとも一つが任意のデジタルメディアレンダラーにそれぞれ対応しておらず、或は前回デジタルメディア環境状態において記録したデジタルメディアサーバー情報の少なくとも一つが任意のデジタルメディアサーバーにそれぞれ対応していない場合）には、デジタルメディアコントローラ２０８に、対応していない各デジタルメディアレンダラー情報（対応していないデジタルメディアレンダラー情報）に対応するデジタルメディアレンダラーアイコンとして、レンダラーが使用不能の状態であることを表示し、対応していない各デジタルメディアサーバー情報（対応していないデジタルメディアサーバー情報）に対応するデジタルメディアサーバーアイコンとして、サーバーが使用不能の状態であることを表示する（ステップＳ１３１）。
【００３４】
図３Ａは本発明の実施例１に係るデジタルメディアコントローラの表示ユニットにデジタルメディアシステムのインタフェースが表示された状態を示す図である。図２と図３Ａを参照されたい。本実施例のデジタルメディアシステムの制御方法において、デジタルメディアコントローラ２０８とデジタルメディアシステム２００を接続した後、デジタルメディアコントローラ２０８の表示ユニットにはデジタルメディア環境状態３００を表示する。このデジタルメディア環境状態３００は、デジタルメディアサーバーリスト３０２とデジタルメディアレンダラーリスト３０４を備える。  
【００３５】
デジタルメディアサーバーリスト３０２は、記録したデジタルメディアコントローラ２０８に接続されたデジタルメディアサーバーに対応するデジタルメディアサーバーアイコン（「サーバーａ」と、「サーバーｂ」と、「サーバーｃ」と、「サーバーｄ」を備える）をリストアップする。この場合、各デジタルメディアサーバーアイコンはデジタルメディアサーバー情報にそれぞれ対応する。例えば、デジタルメディアコントローラ２０８の表示ユニットの表示するデジタルメディア環境状態３００が、戻された後の前回デジタルメディア環境状態（ステップＳ１１１で記載したように）である場合、各デジタルメディアサーバーアイコンのそれぞれが対応するデジタルメディアサーバー情報は、前回デジタルメディア環境状態において記録したデジタルメディアサーバー情報（即ち、前回、デジタルメディアコントローラ２０８とデジタルメディアシステム２００との接続を切断する前の、デジタルメディアサーバーの最後の状態の情報）である。デジタルメディア環境状態３００が新しく設定したデジタルメディア環境状態である場合（ステップＳ１１５で記載したように）、各デジタルメディアサーバーアイコンのそれぞれが対応するデジタルメディアサーバー情報は、デジタルメディアコントローラ２０８が、現時点におけるデジタルメディアシステム２００に対して新しく設定した現在のデジタルメディア環境状態において記録したデジタルメディアサーバーの個人情報と、各デジタルメディアサーバーが保存したマルチメディアファイルである。図３Ａに表示したデジタルメディアサーバーリスト３０２は、テキストアイコンによってデジタルメディア環境状態３００内のデジタルメディアサーバーを表す。しかしながら、本発明はこれに限定されない。つまり、デジタルメディアサーバーリスト３０２において、デジタルメディアサーバー情報に対応するデジタルメディアサーバーアイコンは任意のパターン、文字、記号、或は英数字記号（alphanumeric）であることができる。
【００３６】
同じく、デジタルメディアレンダラーリスト３０４は、これを記録したデジタルメディアコントローラ２０８に接続されたデジタルメディアレンダラーに対応するデジタルメディアレンダラーアイコン（Ｒ１と、Ｒ２と、Ｒ３と、Ｒ４を含む）をリストアップする。各デジタルメディアレンダラーアイコンは、デジタルメディアレンダラー情報にそれぞれ対応する。例えば、デジタルメディアコントローラ２０８の表示ユニットに表示されるデジタルメディア環境状態３００が、戻された後の前回デジタルメディア環境状態（ステップＳ１１１が記載したように）である場合、各デジタルメディアレンダラーアイコンにそれぞれ対応するデジタルメディアレンダラー情報は、前回デジタルメディア環境状態において記録されたデジタルメディアレンダラー情報（即ち、前回、デジタルメディアコントローラとデジタルメディアシステムとの接続を切断する前の、デジタルメディアレンダラーの最後の状態の情報）である。デジタルメディア環境状態３００が新しく設定したデジタルメディア環境状態である場合（ステップＳ１１５が記載したように）、各デジタルメディアレンダラーアイコンのそれぞれが対応するデジタルメディアレンダラー情報は、デジタルメディアコントローラ２０８が、現時点におけるデジタルメディアシステム２００に対して新しく設定した現在のデジタルメディア環境状態において記録したデジタルメディアレンダラーの個人情報である。図３Ａに表示するデジタルメディアレンダラーリスト３０４は、テキストアイコンによってデジタルメディア環境状態３００内のデジタルメディアレンダラーを表す。しかしながら、本発明はこれに限定されない。つまり、デジタルメディアレンダラーリスト３０４において、デジタルメディアレンダラー情報に対応するデジタルメディアレンダラーアイコンは任意のパターン、文字、記号、或は英数字記号（alphanumeric）であることができる。
【００３７】
前回デジタルメディア環境状態で記録したデジタルメディアレンダラー情報とデジタルメディアサーバー情報が、デジタルメディアシステム２００中のデジタルメディアレンダラーとデジタルメディアサーバーにそれぞれ対応しているかどうかをチェックした後（ステップＳ１２１）、デジタルメディアコントローラ２０８の表示ユニットが表示するデジタルメディア環境状態３００において、使用可能な状態における各デジタルメディアレンダラー情報が対応するデジタルメディアレンダラーアイコンは、レンダラーが使用可能の状態であることをそれぞれ表示し、使用可能な状態における各デジタルメディアサーバー情報が対応するデジタルメディアサーバーアイコンは、サーバーが使用可能の状態であることを表示（ステップＳ１２５の記載したように）する。図３Ａに示すように、表示ユニットの表示するデジタルメディア環境状態３００において、使用可能の状態におけるデジタルメディアサーバー情報は、対応するデジタルメディアサーバーアイコン（「サーバーａ」と、「サーバーｃ」と、「サーバーｄ」を含む）の傍に輝点（符号Ｂａ、Ｂｃ、Ｂｄ）を表示することで、サーバーが使用可能の状態であることを表す。一方、使用可能の状態におけるデジタルメディアレンダラー情報は、対応するデジタルメディアレンダラーアイコン（Ｒ１と、Ｒ３と、Ｒ４を含む）の傍に輝点（符号ＢＲ１、ＢＲ３、ＢＲ４）を表示することで、レンダラーが使用可能の状態であることを表す。
【００３８】
そして、ステップＳ１２１の後に、デジタルメディアコントローラ２０８の表示ユニットが表示するデジタルメディア環境状態３００において、対応していない各デジタルメディアレンダラー情報に対応するデジタルメディアレンダラーアイコンは、レンダラーが使用不能の状態であることをそれぞれ表示し、及び対応していない各デジタルメディアサーバー情報に対応するデジタルメディアサーバーアイコンは、サーバーが使用不能の状態であることを表示（ステップＳ１３１が記載したように）する。図３Ａに示すように、表示ユニットが表示するデジタルメディア環境状態３００内において、対応していないデジタルメディアサーバー情報は、対応するデジタルメディアサーバーアイコン（「サーバーｂ」を含む）の傍に黒点（符号Ｄｂ）を表示することで、サーバーが使用不能の状態であることを表す。一方、対応していないデジタルメディアレンダラー情報は、対応するデジタルメディアレンダラーアイコン（Ｒ２）の傍に黒点（符号ＤＲ２）を表示することで、レンダラーが使用不能の状態であることを表す。図３Ａに示される実施例のうち、輝点によって、使用可能の状態におけるデジタルメディアサーバー情報とデジタルメディアレンダラー情報が対応するアイコンを表示し、黒点によって、対応していないデジタルメディアサーバー情報とデジタルメディアレンダラー情報の対応するアイコンを表示する。しかしながら、本発明はこれに限定されない。つまり、表示する使用可能の状態と、対応していないデジタルメディアサーバー情報が対応するアイコンと、デジタルメディアレンダラー情報が対応するアイコンとは任意の表示形態であることができ、例えば、パターン表示、文字表示、記号表示、或は英数字記号表示である。
【００３９】
また、図３Ａに示される実施例のうち、使用可能な状態における各デジタルメディアサーバー情報に対応するデジタルメディアサーバーアイコンは、サーバーが使用可能の状態であることを表示するステップにおいて、使用可能な状態における各デジタルメディアサーバー情報が対応するデジタルメディアサーバーの保存した複数のマルチメディアファイルのファイルリストを表示するステップを備える。図３Ａに示すように、輝点ＢａとＢｃによって、サーバーが使用可能な状態としてそれぞれ標示されるデジタルメディアサーバーアイコン（「サーバーａ」と「サーバーｃ」を含む）の傍に、これらのデジタルメディアサーバーアイコンがそれぞれ対応するデジタルメディアシステム２００内のデジタルメディアサーバーが保存するファイルのファイルリストＬａとＬｃをそれぞれリストアップする。
【実施例２】
【００４０】
図３Ｂは本発明の実施例２におけるデジタルメディアコントローラの表示ユニットにデジタルメディアシステムのインタフェースが表示された状態を示す図である。注意すべきところは、図３Ｂのうち、図３Ａと同じ部材は同じ符号を付して標示し、そしてそれらの部材は前記の実施例１のものと同様であるので、詳しい実施内容はここで繰り返しては述べない。図３Ｂに示される実施例のうち、対応していないデジタルメディアサーバー情報の対応するデジタルメディアサーバーアイコンは、サーバーが使用不能の状態であることを表示するステップにおいて、ユーザーに、対応していない各デジタルメディアサーバー情報はサーバーの使用不能の状態を示すために、対応していないデジタルメディアサーバー情報が対応するデジタルメディアサーバーアイコンにテキストメッセージを標示するステップを更に備える。図３Ｂに示すように、図３Ａの黒点Ｄｂと同様の黒点によって、サーバーの使用不能の状態として標示されるデジタルメディアサーバーアイコン（サーバーｂ）の傍にテキストメッセージ「接続されていない」（或は「存在していない」）を標示することによって、ユーザーに、対応していないデジタルメディアサーバー情報はサーバーが使用不能の状態であることを示すようにする。
【００４１】
また、デジタルメディアコントローラのデジタルメディア環境状態設定を前回デジタルメディア環境状態に戻すステップ（ステップS１１１）において、前回デジタルメディア環境状態において記録したデジタルメディアレンダラー情報に基づいて、デジタルメディアコントローラ２０８の表示ユニットにレンダラーの使用可能の状態におけるデジタルメディアレンダラーアイコンが対応する再生状態を表示する。図３Ａを参照されたい。レンダラーが使用可能な状態として標示されるデジタルメディアレンダラーアイコンＲ１は、前回デジタルメディア環境状態の対応するデジタルメディアレンダラー情報に基づいて、表示ユニットのプレビュー領域３０６内において、デジタルメディアレンダラーアイコンＲ１に対応するデジタルメディアレンダラーが、前回においてデジタルメディアコントローラとデジタルメディアシステムの接続を切断する前の、デジタルメディアレンダラーの再生状態（即ち、最後の再生状態）を表示する。つまり、デジタルメディアレンダラーアイコンＲ１が対応するデジタルメディアレンダラーは、前回においてデジタルメディアコントローラとデジタルメディアシステムの接続を切断する前に、デジタルメディアサーバーアイコン「サーバーａ」の対応するデジタルメディアサーバーが提供するマルチメディアファイルａ３（図３Ａに示されるマルチメディアファイルａ３は、例えば、ビデオファイルである）を再生している最中である。もう一つの実施例において、表示ユニットのプレビュー領域３０６の内に、デジタルメディアレンダラーアイコンＲ１に対応するデジタルメディアレンダラーの前回の最後の再生状態を表示するステップにおいて、マルチメディアファイルａ３を最後の再生時間位置Ｔ１まで再生表示するステップを更に備える。
【００４２】
図３Ｂを参照されたい。デジタルメディアレンダラーアイコンＲ３に対応するデジタルメディアレンダラーは、前回においてデジタルメディアコントローラとデジタルメディアシステムの接続を切断する前に、デジタルメディアサーバーアイコン「サーバーｃ」に対応するデジタルメディアサーバーが提供するマルチメディアファイルｃ１（図３Ｂに示されるマルチメディアファイルｃ１は、例えば、音声ファイルである）を再生している最中である。また、表示ユニットのプレビュー領域３０６のうち、デジタルメディアレンダラーアイコンＲ３に対応するデジタルメディアレンダラーの前回の最後の再生状態を表示するステップにおいて、マルチメディアファイルｃ１を最後の再生時間位置Ｔ２まで再生表示するステップを更に備える。
【００４３】
図４を参照されたい。図４は本発明の実施例２に係るデジタルメディアシステムの制御方法の流れ概略図である。デジタルメディアコントローラ２０８はネットワーク２０２を経由してデジタルメディアサーバー（少なくともデジタルメディアサーバー２０６ａと、２０６ｂと、２０６ｃを備える）とデジタルメディアレンダラー（少なくともデジタルメディアレンダラー２０４ａと、２０４ｂと、２０４ｃを備える）に接続したままの状態において、本実施例のデジタルメディアシステムの制御方法は、ステップＳ４０１において、現在のデジタルメディア環境状態を前回デジタルメディア環境状態として保存するステップを更に備える。その前回デジタルメディア環境状態はステップＳ１０５おける前回デジタルメディア環境状態の定義と一緒である（即ち、前回においてデジタルメディアコントローラとデジタルメディアシステムの接続を切断する前に、デジタルメディアコントローラ２０８は、デジタルメディアシステムの対応する現在デジタルメディア環境状態を保存する）。そして、ステップＳ４０５において、デジタルメディアコントローラ２０８とデジタルメディアシステム２００の接続を切断する。
【実施例３】
【００４４】
上記実施例の中のデジタルメディアシステム制御方法は、デジタルメディアコントローラによってコンピュータの実行可能プログラムを実行することを介して実施できる。図５を参照されたい。図５は本発明の実施例３に係るデジタルメディアコントローラの概略図である。本実施例のデジタルメディアコントローラ５００は、信号伝送インタフェース５０４と、表示ユニット５０６と、記憶装置５０８及びプロセッサ５１０を備える。信号伝送インタフェース５０４は、ネットワークを経由して、デジタルメディアサーバーとデジタルメディアレンダラーにそれぞれ接続される。記憶装置５０８は、コンピュータの実行可能プログラムを保存することができる。プロセッサ５１０は、信号伝送インタフェース５０４と、表示ユニット５０６、及び記憶装置５０８に接続され、且つコンピュータの実行可能プログラムの複数のコマンドを実行する。これらのコマンドは、デジタルメディアコントローラ５００の記憶装置５０８に前回デジタルメディア環境状態が記録、保存されているかどうかをチェックするコマンド（詳細は前記実施例１のステップＳ１０５を参照）と、デジタルメディアコントローラ５００に前回のデジタルメディア環境状態が保存されていると確認した場合には、デジタルメディアコントローラ５００のデジタルメディア環境状態設定を保存した前回デジタルメディア環境状態に戻すコマンド（詳細は前記実施例１のステップＳ１１１を参照）と、逆の場合には、デジタルメディア環境状態を新しく設定するコマンド（詳細は前記実施例１のステップＳ１１５を参照）と、前回デジタルメディア環境状態に基づいて、前回デジタルメディア環境状態において記録したデジタルメディアレンダラー情報及びデジタルメディアサーバー情報が、デジタルメディアシステムのうちのデジタルメディアレンダラー及びデジタルメディアサーバーにそれぞれ対応するかどうかをチェックするコマンド（詳細は上記実施例のステップＳ１２１を参照）と、デジタルメディアレンダラー情報及びデジタルメディアサーバー情報がデジタルメディアシステムのうちのデジタルメディアレンダラー及びデジタルメディアサーバーにそれぞれ対応した場合には、表示ユニット５０６に、使用可能の状態における各デジタルメディアレンダラー情報に対応するデジタルメディアレンダラーアイコンとして、当該レンダラーが使用可能の状態であることを表示し、及び使用可能の状態における各デジタルメディアサーバー情報に対応するデジタルメディアサーバーアイコンとして、当該サーバーが使用可能の状態であることを表示するコマンド（詳細は上記実施例のステップＳ１２５を参照）とを含み、逆の場合には、表示ユニット５０６に、対応していない各デジタルメディアレンダラー情報に対応するデジタルメディアレンダラーアイコンとして、当該レンダラーが使用不能の状態であることを表示し、及び対応していない各デジタルメディアサーバー情報に対応するデジタルメディアサーバーアイコンとして、当該サーバーが使用不能の状態であることを表示するコマンド（詳細は上記実施例のステップＳ１３１を参照）とを含む。
【００４５】
また、デジタルメディアコントローラ２０８はネットワーク２０２を経由して、デジタルメディアサーバーとデジタルメディアレンダラーに接続されたままの状態において、本実施例のコンピュータの実行可能プログラムのコマンドを実行する。そのコマンドには、記憶装置に、現在のデジタルメディア環境状態を前回のデジタルメディア環境状態として保存するコマンド（詳細は上記実施例２の図４のステップＳ４０１を参照）と、そして、デジタルメディアコントローラ２０８とデジタルメディアシステム２００の接続を切断するコマンド（詳細は上記実施例２の図４のステップＳ４０５を参照）を含む。
【００４６】
上記の場合において、レンダラーが使用可能の状態であることを示し、或は使用不能の状態であることを示す各デジタルメディアレンダラーアイコンと、サーバーが使用可能の状態であることを示し、或は使用不能の状態であることを示すデジタルメディアサーバーアイコンの表示方法や、更に、表示の詳細内容（表示ユニット５０６に、レンダラーが使用可能の状態であることを示すデジタルメディアレンダラーアイコンに、対応する再生状態の表示を行うものを含む）については、すでに前の実施例で詳細に記載されているので、ここでは繰り返して述べない。
【００４７】
本発明は、保存された前回アクセス時のデジタルメディア環境状態において記録したデジタルメディアサーバー情報とデジタルメディアレンダラー情報に基づいて、デジタルメディアコントローラを再度デジタルメディアシステムにアクセスさせる時、デジタルメディアコントローラに表示されるデジタルメディアレンダラーアイコンに対応するデジタルメディアレンダラー情報（最後の再生状態を含む）を前回の最終状態に戻し、また、デジタルメディアコントローラに表示されるデジタルメディアサーバーアイコンに対応するデジタルメディアサーバー情報を前回の最終状態に戻すことができる。従って、デジタルメディアコントローラが改めてデジタルメディアシステムにアクセスする時、このデジタルメディアシステムから前回ログオフした時の各デジタルメディアレンダラーの再生状態から素早く再生を再開、継続することができるので、ユーザーは、デジタルメディア環境状態を新たにリセットするために再び時間と労力を費やす必要がなく、使用上の利便性とエンターテイメント効果を高めることができる。
【００４８】
上記は例示的なものであって、本発明を限定するためのものではない。本発明の技術的思想および範囲から逸脱することなく行われる等価の修正または変更は、いずれも別紙の特許請求の範囲に含まれる。
【産業上の利用可能性】
【００４９】
本発明は以上の如く構成したため、デジタルメディア環境状態を素早く前回の最終状態まで戻すことができ、ユーザーの使用上の利便性を高めることが可能なデジタルメディアシステムの制御方法及びデジタルメディアコントローラを提供し得るものである。
【符号の説明】
【００５０】
２００            デジタルメディアシステム
２０２            ネットワーク
２０４ａ、２０４ｂ、２０４ｃ  デジタルメディアレンダラー
２０６ａ、２０６ｂ、２０６ｃ  デジタルメディアサーバー
２０８、５００    デジタルメディアコントローラ
３００            デジタルメディア環境状態
３０２            デジタルメディアサーバーリスト
３０４            デジタルメディアレンダラーリスト
３０６            プレビュー領域
５０４            信号伝送インタフェース
５０６            表示ユニット
５０８            記憶装置
５１０            プロセッサ
Ｂａ、Ｂｃ、Ｂｄ、ＢＲ１、ＢＲ３、ＢＲ４    輝点
Ｄｂ、ＤＲ２      黒点
Ｌａ、Ｌｃ        ファイルリスト
Ｓ１０１〜Ｓ１３１、Ｓ４０１〜Ｓ４０５  方法の流れにおけるステップ
Ｔ１、Ｔ２        最後の再生時間位置
【図１】
2014016987.tif 000003
【図２】
2014016987.tif 000004
【図３Ａ】
2014016987.tif 000005
【図３Ｂ】
2014016987.tif 000006
【図４】
2014016987.tif 000007
【図５】
2014016987.tif 000008